(57)【要約】      （修正有）【課題】アウトドアにおいても使い勝手のよい扇風機を提供する。【解決手段】送風羽根２が取り付けられる本体部１と、送風羽根２の周囲に設けられる羽根ガードと、本体部１の下部に設けられる支持脚３と、を備え、支持脚３が柔軟性を有することを特徴とする。支持脚３は、柔軟性を有する金属棒の周囲に筒状ラバーが設けられ、その長手方向に交差する方向に多数の溝が形成されている。支持脚３は、任意の形状に曲げることができ、かつ、曲げた状態を維持できる程度の柔軟性を有する。【選択図】図１
0003221065.tif 000002
【実用新案登録請求の範囲】
【請求項１】
送風羽根が取り付けられる本体部と、
送風羽根の周囲に設けられる羽根ガードと、
前記本体部の下部に設けられる支持脚と、を備え、
前記支持脚が柔軟性を有することを特徴とする扇風機。
【請求項２】
前記支持脚は、柔軟性を有する芯棒の周囲に筒状ラバーが設けられていることを特徴とする請求項１に記載の扇風機。
【請求項３】
前記筒状ラバーには前記支持脚の長手方向に交差する方向に多数の溝が形成されていることを特徴とする請求項２に記載の扇風機。
【請求項４】
前記支持脚は、複数本備えていることを特徴とする請求項１〜３のいずれか１項に記載の扇風機。
【請求項５】
前記支持脚は、任意の形状に曲げることができ、かつ、曲げた状態を維持できる程度の柔軟性を有することを特徴とする請求項１〜４のいずれか１項に記載の扇風機。
【考案の詳細な説明】
【技術分野】
【０００１】
本考案は、アウトドアでも使用可能な扇風機に関する。
【背景技術】
【０００２】
扇風機は、一般的に室内で使用するものである。このような扇風機は重量もありアウトドアで使用することは困難である。下記特許文献１に係る扇風機は比較的小型ではある。
【先行技術文献】
【特許文献】
【０００３】
【特許文献１】実用新案登録第３２１６７４６号
【考案の概要】
【考案が解決しようとする課題】
【０００４】
しかしながら、平坦な平面に載置させる必要があり、アウトドア用としては使い勝手が悪い。
【０００５】
本考案は上記実情に鑑みてなされたものであり、その課題は、アウトドアにおいても使い勝手のよい扇風機を提供することである。
【課題を解決するための手段】
【０００６】
上記課題を解決するため本考案に係る扇風機は、
送風羽根が取り付けられる本体部と、
送風羽根の周囲に設けられる羽根ガードと、
前記本体部の下部に設けられる支持脚と、を備え、
前記支持脚が柔軟性を有することを特徴とするものである。
【０００７】
かかる構成による扇風機の作用・効果を説明する。この扇風機は、本体部の下部に支持脚を備えており、この支持脚が柔軟性を有している。従って、この柔軟性を生かして色々な場所に取り付けることが可能になる。例えば、棒状の部分に支持脚を巻き付けるようにして取り付けることができる。従って、平面以外の部分にも設置可能である。その結果、アウトドアにおいても使い勝手のよい扇風機を提供することができる。
【０００８】
本考案に係る前記支持脚は、柔軟性を有する芯棒の周囲に筒状ラバーが設けられていることが好ましい。
【０００９】
まず芯棒を有することで柔軟性と強度を確保することができる。また、筒状ラバーを設けることで、支持脚が滑らないように取り付けることができる。
【００１０】
本考案において、前記筒状ラバーには前記支持脚の長手方向に交差する方向に多数の溝が形成されていることが好ましい。
【００１１】
かかる構成により、支持脚の柔軟性を確保できると共に、筒状ラバーの耐久性を向上させることができる。
【００１２】
本考案に係る前記支持脚は、複数本備えていることが好ましい。これにより、種々の場所に取り付けることが可能になる。
【００１３】
本考案に係る前記支持脚は、任意の形状に曲げることができ、かつ、曲げた状態を維持できる程度の柔軟性を有することが好ましい。
【００１４】
これにより、取り付け部の形状に合わせて自由に支持脚の形状を変更できるので、種々の場所に取り付け可能になる。
【図面の簡単な説明】
【００１５】
【図１】実施形態に係る扇風機の正面図
【図２】図１の扇風機の側面図
【図３】側面から見た縦断面図
【図４】図１の扇風機の背面図
【図５】使用例を示す図
【考案を実施するための形態】
【００１６】
本考案に係る扇風機の好適な実施形態を図面を用いて説明する。図１は、本実施形態に係る扇風機の正面図である。図２は、図１の扇風機の側面図である。図３は、側面から見た縦断面図である。図４は、図１の扇風機の背面図である。この扇風機は、室内だけでなくアウトドアでも使用可能な扇風機である。
【００１７】
図１等に示すように、本体部１と、本体部１に取り付けられる送風羽根２と、本体部１の下部に取り付けられる支持脚３を備えている。本体部１は、前側本体１０と、後側本体１１と、羽根ガード１２と、後部ガード１３を備えている。前側本体１０と後部ガード１３は、樹脂により一体成型される。羽根ガード１２は、送風羽根２の前方に位置しており、前側本体１０に対して着脱自在に取り付けられる。ただし、前側本体１０と後部ガード１３を別部品で構成してもよい。
【００１８】
羽根ガード１２は、円筒形のガード本体１２ａと、中央部１２ｂと、これらを連結する多数の放射状に延びるスポーク１２ｃにより構成される。羽根ガード１２は周知の方法により前側本体１に着脱自在に係合される。例えば、羽根ガード１２に係合溝を設けて、前側本体１に係合突起を設け、係合溝に係合突起を係合させることで羽根ガード１２が前側本体１に取り付けられる。後部ガード１３も多数の放射状に延びるスポーク１３ａを有している。
【００１９】
後側本体１１には、電源ボタン１４と充電端子１５が設けられている。電源ボタン１４を押すことで送風羽根２を駆動することができる。電源ボタン１４を押すたびに回転速度が段階的に変わるようになっている。充電端子１５はＵＳＢケーブル等を介してパソコン等に接続することで内蔵された充電電池（二次電池）を充電することができる。
【００２０】
図３の断面図に示すように、本体部１の内部空間４０には、電源回路や制御回路などが配置され、さらに充電電池が内蔵される。送風羽根２の中央には筒体２０が設けられ、羽根部分と一体成型される。送風羽根２は、柔軟性のある樹脂により形成される。筒体４０の内部にはモーター４１が設けられており、送風羽根２に形成された駆動軸２１と結合している。本実施形態では羽根の枚数は３枚であるが、羽根の枚数は適宜変更可能である。また、送風羽根２の素材についても適宜選択することができる。
【００２１】
＜支持脚の構成＞
本体部１の下部には３本の支持脚３が取り付けられる。各支持脚３は、アルミニウム製の金属棒３０（芯棒に相当）と、その周囲に設けられる筒状ラバー３１が設けられている。金属棒３０は、約１ｍｍの直径を有しており、自由に曲げることができる。また、曲げた状態（形状）をそのまま維持することができる。また、筒状ラバー３１には、その長手方向（軸方向）に直交する方向に多数の溝３２が形成されている。これにより、支持脚３をさらに曲げやすくしている。本考案に係る支持脚３は、任意の形状に曲げることができ、かつ、その曲げた状態を維持することができる。
【００２２】
支持脚３の端部は、溝３２が形成された箇所よりも若干大径の脚端部３３が形成されている。支持脚３のもう一方の端部は、本体部１の内部において適宜の方法（圧入その他の機械的手段）により固定されている。支持脚３の本数は３本でなくてもよい。金属棒３０については、アルミニウム以外の金属を用いてもよく、金属に代えて別の素材を用いて柔軟性を持たせてもよい。
【００２３】
＜使用例＞
本考案に係る扇風機は、デスクなどの平面に設置してもよいし、棒状の部分に支持脚３を巻き付けて固定してもよい。オフィスのデスク間のパーテーションに固定してもよい。図５は使用例を示すものであり、支持脚３をベビーカーの前部に巻き付けて固定した例である。その他にも種々の使用例が考えられる。本考案に係る扇風機は、室内だけでなくアウトドアにおいても使用可能である。電源については充電端子１５を利用して予め充電しておけばよい。
【符号の説明】
【００２４】
１        本体部
１０      前側本体
１１      後側本体
１２      羽根ガード
２        送風羽根
３        支持脚
３０      金属棒
３１      筒状ラバー
３２      溝
３３      脚端部
４０      内部空間
４１      モーター
【図１】
0003221065.tif 000003
【図２】
0003221065.tif 000004
【図３】
0003221065.tif 000005
【図４】
0003221065.tif 000006
【図５】
0003221065.tif 000007